(57)【要約】【課題】生活習慣の向上をサポートする。【解決手段】貯蔵室と、貯蔵室の扉の開時間を検知する扉センサと、備えた冷蔵庫であって、所定期間に亘る貯蔵室の扉の開時間を取得し、取得した開時間の減少傾向を検知した場合、通知する。【選択図】図５
2020139712.tif 000002
【特許請求の範囲】
【請求項１】
貯蔵室と、該貯蔵室の扉の開時間を検知する扉センサと、備えた冷蔵庫であって、
所定期間に亘る前記貯蔵室の扉の開時間を取得し、
取得した開時間の減少傾向を検知した場合、通知する冷蔵庫。
【請求項２】
過去の所定期間に亘る開時間の平均値を利用して閾値を定め、
直近の所定期間に亘る開時間と前記閾値とを比較して、開時間が閾値を下回った場合、その理由を尋ねる請求項１に記載の冷蔵庫。
【請求項３】
前記理由に応じて、前記閾値を増減させる請求項２に記載の冷蔵庫。
【請求項４】
前記貯蔵室として野菜室の開時間の減少傾向を検知した場合、前記通知として、野菜室の使用を促す通知をする請求項１乃至３何れか一項に記載の冷蔵庫。
【請求項５】
前記貯蔵室の閾値を増加させた場合、前記閾値を上回る開時間を達成するまでは前記閾値の再変更を行わない請求項２乃至４何れか一項に記載の冷蔵庫。
【発明の詳細な説明】
【技術分野】
【０００１】
本発明は、冷蔵庫に関する。
【背景技術】
【０００２】
ライフスタイルの変化にともない肉中心の食生活になりがちである。気づかずにそのままの食生活を続けていると、将来、生活習慣病の発症など、身体の不良の原因となりうる。特許文献１は、栄養管理情報に基づく献立支援装置の構成を開示している。
【先行技術文献】
【特許文献】
【０００３】
【特許文献１】特開２０１３−１８０８６８号公報
【発明の概要】
【発明が解決しようとする課題】
【０００４】
特許文献１は不足判定部にて具体的な食品の判定方法について何ら開示していない。
【課題を解決するための手段】
【０００５】
上記事情を鑑みてなされた本発明は、
貯蔵室と、該貯蔵室の扉の開時間を検知する扉センサと、備えた冷蔵庫であって、
所定期間に亘る前記貯蔵室の扉の開時間を取得し、
取得した開時間の減少傾向を検知した場合、通知する。
【図面の簡単な説明】
【０００６】
【図１】システムの構成例を示す図である。
【図２】冷蔵庫の構成例を示すブロック図である。
【図３】サーバ機器の構成例を示すブロック図である。
【図４】冷蔵庫概観正面図である。
【図５】処理を示すフローチャートである。
【図６】使用者端末の通知結果の表示例である。
【図７】使用者端末の通知結果の表示例の続きである。
【発明を実施するための形態】
【０００７】
以下、本発明の実施例について添付の図面を参照しつつ説明する。
【実施例１】
【０００８】
図１は、家電製品システムの一例としての、実施例の冷蔵庫システムの構成図である。
図２は本実施例の冷蔵庫１の構成例を示すブロック図である。図３は本実施例のサーバ機器３の構成例を示すブロック図である。図４は本実施例の冷蔵庫１の概観正面図である。
冷蔵庫システムは、冷蔵庫１、インターネット等の広域ネットワーク２、冷蔵庫１から送信される情報を受信したりする、冷蔵庫１にデータ取得要求を送信するサーバ機器３、及び使用者端末４を有する。
【０００９】
冷蔵庫１は、冷媒を圧縮する圧縮機１０６と冷気を生成する冷却器を含む冷却サイクル、冷却器で生成した冷気が供給される冷蔵室１１や冷凍室１２、野菜室１３といった貯蔵室、各貯蔵室を開閉する貯蔵室扉としての冷蔵室扉１１１，冷凍室扉１２１，野菜室扉１３１を有する。冷蔵庫１は、使用者の端末と通信可能な通信部１０９、各貯蔵室扉の開閉状態を検知可能な扉開閉センサ１１１を有しており、各扉が開かれるとその扉の開閉時間を計測することができる。例えば７日間の周期でリセットするようにすることができる。
【００１０】
図５は本実施例の制御フローチャートである。本実施例の冷蔵庫は、ユーザによる各貯蔵室の扉開時間を集計し、各貯蔵室の扉の平均開時間からの乖離に応じてユーザに助言を出力する。助言は冷蔵庫に設けた表示部や音声部によって出力しても良いし、ユーザのスマートフォン等の端末に送信しても良い。
【００１１】
まず、冷蔵庫１は、冷蔵室、製氷室、野菜室それぞれの扉の開時間の取得処理を行う。取得処理は、各貯蔵室の開時間の集計を整理する周期（例えば７日間）毎に行うことができる。各貯蔵室の扉開時間の集計は、各貯蔵室の扉開時間を１日毎に合計７日間を単位として行われる（ステップＳ１００−１０２）。
【００１２】
そして、１日に１度、通知を行うかどうか判定する。各扉のカウント処理が終了し全ての扉が閉じられたら、通知許可までの時間のカウントを開始する。これは扉が閉じられた瞬間に通知がされてしまうことを防ぐためである。
【００１３】
通知許可までの時間のカウントはいずれかの扉が開かれたらリセットし、通知要求が出されていてもカウントが終わるまで(一定時間経過まで)は、通知しない(ステップＳ１０３)。
【００１４】
ユーザに拘らず同一基準で通知を行うものとすると不快感を与える虞があるため、本実施例ではユーザごとの生活リズムが変化してきたら通知を行う。生活リズムの変化は、ユーザごとの各貯蔵室の直近7日間の扉開時間とその平均値を利用して検知される。具体的には、ユーザごとの直近7日間の各貯蔵室の扉開時間と直近７日間の各貯蔵室の扉開時間の平均値とを比較して、直近7日間の扉開時間が平均値と乖離している場合は生活リズムに変化があったと検知する。乖離しているか否かの判定は、次のようにして求めることができる。まず、平均値に０以上１以下の係数を乗じて、この値を閾値とする。次に、直近7日間の扉開時間が閾値以下であるか比較し、閾値以下であれば乖離していると判定する。なお、係数の初期値としては、たとえば０．５を用いることができる。
【００１５】
本実施例では、平均値に対して扉開時間が少ない方に乖離していることを検知するが、通知すべき項目があれば、平均値に対して扉開時間が多い方に乖離している場合を検知するようにしてもよい。
【００１６】
各貯蔵室の扉開時間の７日平均が閾値を下回るようであれば（ステップＳ１０４，Ｙｅｓ）、生活リズムの変化があったと判断して、通知を行い、通知への回答に応じて係数の修正を行う（ステップＳ１０５）。この判定は、貯蔵室ごとに行うこともできるし、全貯蔵室の扉開時間の合計を用いて行うこともできる。
【００１７】
図６（ａ）は、ステップＳ１０４において野菜室の使用にかかる生活リズムの変化を検知した場合に、ユーザの端末に表示される通知の例を示す図である。生活リズムに変化があった場合、その旨と、直近で生活リズムの変化の原因について思い当たることがあるかを確認し、思い当たる原因に応じてユーザへの通知を行い係数を更新する。
【００１８】
例えば、「忙しかった」のように野菜室の使用ができていなかったことを自覚している旨の入力がされると、野菜室の係数を増加させる。野菜不足の食生活になっている可能性があるため、係数を減らすことで次週はこれまでより多く野菜室を使用しなければ再度通知がなされるようになる。これにより今後の野菜室の使用を促し、今回のデータ取得期間（今週）の食生活の悪化を補償できる。
【００１９】
次に「長期外出があった」のように自宅にいない状態が続いた旨が入力されると、野菜室の使用がされない環境下にユーザがいたわけであるから係数の変更はしない。
【００２０】
次に、例えば「外食が増えた」のように自炊頻度が低下していた旨の入力がされると、野菜室の係数を増加させる。比較的、自炊頻度が低下すると野菜の摂取量が減ることが期待されるため、将来の使用を促す。但し、この旨の入力については、ユーザによっては意識して野菜等を摂取することも想定されるため、ユーザに係数の修正幅を選択させるようにしても良い。
【００２１】
次に、「その他」や不明との回答の場合、ユーザに自覚はないものの生活リズムが変わったことは事実であるため、野菜室の係数を減少させる。
【００２２】
なお、ステップＳ１０５にて係数を変更しても改善が見られず、連続して生活リズムの変化を検出した場合には、係数の変更を行わない。まず修正した係数から計算される閾値を達成することを目指し、達成してから次の係数修正をすることにする。すなわち、次週以降に１度は扉開閉回数の平均以上の開時間が検出されるまでステップＳ１０５の処理は行わない。このように長期使用による食生活の改善を目指すため、毎週係数修正と通知はしない。
【００２３】
次に冷蔵室の直近7日間の扉開時間を平均の扉開時間と比較し、平均×係数以上の場合は、冷蔵室を適度に使用していると判断し、通知は行わない。平均×係数よりも少ない場合は、冷蔵室をあまり使われていないと判断する(ステップＳ１０６，Ｎ)。冷蔵室をあまり使われていないと判断したら、生鮮品を食べるよう通知を行う(ステップＳ１０７、通知Ｍ１０５)。
【００２４】
次に製氷室の直近7日間の扉開時間を平均の扉開時間と比較し、平均×係数以上の場合は、製氷室を適度に使用していると判断し、通知は行わない。平均×係数よりも少ない場合は、製氷室をあまり使われていないと判断する(ステップＳ１０８，Ｎ)。製氷室があまり使われていないと判断したら、給水タンクの水交換するよう通知を行う(ステップＳ１０９、通知Ｍ１０６)。
【００２５】
次に野菜室の直近7日間の扉開時間が平均×係数以上の場合は、野菜室を適度に使用していると判断し、通知は行わない。平均×係数よりも少ない場合は、野菜室をあまり使われていないと判断する(ステップＳ１１０，Ｎ)。野菜室があまり使われていないと判断したら、野菜を食べるよう通知を行う(ステップＳ１１１、通知Ｍ１０７)。
【００２６】
図６（b）は、ステップＳ１０７においてユーザの端末に扉開閉が無い場合、なぜ開閉が無いか(料理をするかの)入力を求める際に表示される通知例を示す図である。入力に応じて下記のように各扉の係数を変更する。
【００２７】
「自宅で料理をして食べていますか？」という問いに対して「している」旨の回答がされた場合、冷蔵庫を使用せず料理をしていることが想定される。過剰な通知となるため冷蔵室の係数を減少させる。一方、日持ちのしない葉物野菜が腐敗する可能性がある為、野菜室の係数を増加させる。
【００２８】
次に「自宅で料理をして食べていますか？」という問いに対して「していない」旨の回答がされた場合、普段から冷蔵庫をあまり使わない生活リズムであることが想定される。そのユーザとしては「ふつうに使っていた」ことになるため係数の増減はしない。
【００２９】
図６（ｃ）は具体的になぜ開閉が少なかったのかを詳しく聞く通知例を示す図である。通知への返答に応じて係数を変更する。「忙しかった」のであれば、食事を作る暇も無かったと判断し、係数の増減はしない。「長期外出があった」のであれば、条件に入ったら通知しているため長期外出が継続している可能性があり、改善が見込めないため係数の増減はしない。「自宅であまり食事を取らない」のであれば、日常的に外食となっているため、毎食何を食べたか入力を求め、それに対しどんなメニューがいいか通知した上で、食べたものに応じて野菜室の係数を増減させる。
【００３０】
このとき図６（ｄ）のような通知画面となる。通知する内容は外食がメインとなっているため、食生活のバランスがよくなるように、おすすめのお店のメニューとして紹介してもよいし、旬の野菜をつかったとても簡単なレシピを紹介してもよい。
【００３１】
図６（ｃ）に戻り、「よく食べ物を買いに行く」のであれば、その日に買った食べ物をその日のうちに消費すると考えられる。また痛みやすい食材を冷蔵庫に保存していないことが想定されるため、冷蔵室・野菜室の係数を増加させる。「食事制限中・断食中」のように意識的に食事を控えているのであれば、そもそも食事を取る意思が薄かったと判断し、係数の増減はしない。
【００３２】
次に「その他」のように選択肢以外の理由である旨が入力されると、明確な理由を判別できないため、各室の係数の増減は行わない。
【００３３】
また答える内容を考えず選択している可能性があり、「その他」が数回入力された場合には通知した貯蔵室に対して下記のように通知した貯蔵室の使用自覚の旨の入力を求める。
【００３４】
図７（ａ）は、ユーザが通知の返答をきちんと行っていない場合の通知画面の例である。「(通知した貯蔵室)は使っていますか？」という問いに対して「はい」のように、ユーザの自覚として通知した貯蔵室を使っているという認識であれば、改善の余地はある為、上記条件に入った場合、通知を継続して行う。「いいえ」であれば、通知をしてもこれ以上の効果がないと考えられるため、今後冷蔵庫の電源が切られるまで通知した貯蔵室に関する通知は行わない（ステップＳ１１３)。
【符号の説明】
【００３５】
１：冷蔵庫
２：広域ネットワーク
３：サーバ機器
４：使用者端末
１０１：CPU
１０２：冷蔵庫制御ソフトウェア(制御ソフトウェア)
１０３：メモリ
１０４：各センサ
１０５：各電子部品
１０６：圧縮機
１０９：通信部
１１０：通信制御部
１１１：扉開閉背センサ
１１３：スピーカ
１１４：コントロール表示部
２０１：受信制御部
２０２：判定制御部
２０３：送信制御部
３０１：冷蔵庫扉
【図１】
2020139712.tif 000003
【図２】
2020139712.tif 000004
【図３】
2020139712.tif 000005
【図４】
2020139712.tif 000006
【図５】
2020139712.tif 000007
【図６】
2020139712.tif 000008
【図７】
2020139712.tif 000009